(57)【要約】【課題】設置が簡単であり、かつ止水性能が高い止水装置および止水方法の提供。【解決手段】柔軟性を有するシート状止水板３の端部を、シート状止水板３が面接触するＲ面２０を有する支柱２により支持し、シート状止水板３に水圧が掛かった際にシート状止水板３をＲ面２０に面接触させることにより、シート状止水板３と支柱２とが密着し、シート状止水板３自体がパッキンとして機能し、止水することができる。【選択図】図５
2020169484.tif 000002
【特許請求の範囲】
【請求項１】
柔軟性を有するシート状止水板と、
前記シート状止水板の端部を支持する支柱であり、前記シート状止水板に水圧が掛かった際に前記シート状止水板が面接触するＲ面を有する支柱と
を有する止水装置。
【請求項２】
前記支柱のＲ面の半径は、前記シート状止水板の厚さの２倍以上であることを特徴とする請求項１記載の止水装置。
【請求項３】
前記シート状止水板の端部は、芯材を内包し、
前記支柱は、前記芯材を内包する前記シート状止水板の端部を係止する凹部を有する
ことを特徴とする請求項１または２に記載の止水装置。
【請求項４】
前記支柱は、前記凹部を中心として少なくとも２分割されたものであることを特徴とする請求項３記載の止水装置。
【請求項５】
前記シート状止水板に水圧が掛かった際に前記シート状止水板の端部が接触する前記支柱の凹部の内面が、前記凹部側を中心とするＲ面である請求項３または４に記載の止水装置。
【請求項６】
柔軟性を有するシート状止水板の端部を、前記シート状止水板が面接触するＲ面を有する支柱により支持し、前記シート状止水板に水圧が掛かった際に前記シート状止水板を前記Ｒ面に面接触させることを特徴とする止水方法。
【発明の詳細な説明】
【技術分野】
【０００１】
本発明は、ビルなどの建物、構造物、地下鉄、地下通路、地下駐車場、地下街や地下駅舎などの出入口など（以下、単に「ビル等の出入口」と称す。）に設置され、高潮や集中豪雨などの水害時における浸水を防止するための止水装置および止水方法に関する。
【背景技術】
【０００２】
ビルの出入口には、水害時における浸水を防止するために防水扉装置を設置することがある。例えば、特許文献１には、左右に支柱を有する上部開放の扉枠と、２軸ヒンジを介し、扉枠に対して開閉自在に装着する片開き式の扉本体と、扉本体に搭載する閂機構とからなり、閂機構は、扉本体の左右に閂部材を突出させることにより、扉本体を閉鎖状態にロックすることができる防水扉装置が提案されている。
【０００３】
また、特許文献２には、支柱部材に上端部に配置された上部スプロケットと下端部に配置された下部スプロケットに掛け回された昇降用チェーンが設けられ、止水板は側部が昇降用チェーンに固定されている止水装置が提案されている。この止水装置では、昇降用チェーンを駆動させて止水板を下降させると、昇降用チェーンの下降側に下部スプロケットに引き付けられる張力が生じ、それにより止水板を下方に引き付け、床面に圧接できる。
【先行技術文献】
【特許文献】
【０００４】
【特許文献１】特開平７−２９７５５０号公報
【特許文献２】特開２０１４−２２７７２１号公報
【発明の概要】
【発明が解決しようとする課題】
【０００５】
上記従来の防水扉装置や止水装置では、水圧に対抗するために一般的に扉本体（止水板）が金属製であり、さらに補強材などを用いて高強度に構成されているため、重量が重い。そこで、上記のように２軸ヒンジを介して片開きにしたり、昇降用チェーンにより駆動したりしているが、このような構造は複雑であり、コストが高くなる。
【０００６】
そこで、本発明においては、設置が簡単であり、かつ止水性能が高い止水装置および止水方法を提供することを目的とする。
【課題を解決するための手段】
【０００７】
本発明の止水装置は、柔軟性を有するシート状止水板と、シート状止水板の端部を支持する支柱であり、シート状止水板に水圧が掛かった際にシート状止水板が面接触するＲ面を有する支柱とを有するものである。
【０００８】
また、本発明の止水方法は、柔軟性を有するシート状止水板の端部を、シート状止水板が面接触するＲ面を有する支柱により支持し、シート状止水板に水圧が掛かった際にシート状止水板をＲ面に面接触させることを特徴とする。
【０００９】
これらの発明によれば、柔軟性を有するシート状止水板に水圧が掛かることにより撓み、シート状止水板が支柱のＲ面に面接触することでシート状止水板と支柱とが密着し、シート状止水板自体がパッキンとして機能し、止水することができる。
【００１０】
ここで、シート状止水板の端部は、芯材を内包し、支柱は、芯材を内包するシート状止水板の端部を係止する凹部を有することが望ましい。これにより、芯材を内包するシート状止水板の端部に膨らみができ、この端部を支柱の凹部に嵌め込むだけで抜けないように係止することができる。
【００１１】
また、支柱は、凹部を中心として少なくとも２分割されたものであることが望ましい。これにより、支柱の凹部を加工しやすく、また組み立ても容易となる。
【００１２】
また、シート状止水板に水圧が掛かった際にシート状止水板の端部が接触する支柱の凹部の内面が、凹部側を中心とするＲ面であることが望ましい。これにより、シート状止水板に水圧が掛かった際に支柱の凹部の内面のＲ面に沿ってシート状止水板の端部が面接触することで、シート状止水板と支柱の凹部の内面とが密着し、シート状止水板自体がパッキンとして機能する。
【発明の効果】
【００１３】
（１）柔軟性を有するシート状止水板の端部を、シート状止水板が面接触するＲ面を有する支柱により支持し、シート状止水板に水圧が掛かった際にシート状止水板をＲ面に面接触させる構成により、柔軟性を有するシート状止水板により止水することができ、従来の止水板のように重量を重くする必要がなく、軽くて操作しやすく搬送もしやすいため設置が簡単であり、かつシート状止水板自体がパッキンとして機能することで止水性能が高い。また、シート状止水板に水圧が掛かった際にＲ面に面接触するため、シート状止水板の局所に水圧が集中しなくなり、水圧による破損を防止することができる。さらに、止水時に水圧を支柱のＲ面方向へ逃がすことができるため、支柱サイズを小さくすることができる。
【００１４】
（２）シート状止水板の端部が芯材を内包し、支柱が芯材を内包するシート状止水板の端部を係止する凹部を有する構成により、芯材を内包するシート状止水板の端部を支柱の凹部に嵌め込むだけで抜けないように係止することができ、簡単な構造で製造が容易であり、かつ簡単に設置することが可能となる。
【００１５】
（３）支柱が凹部を中心として少なくとも２分割されたものであることにより、支柱の凹部を加工しやすく、低コスト化を実現できる。
【００１６】
（４）シート状止水板に水圧が掛かった際にシート状止水板の端部が接触する支柱の凹部の内面が、凹部側を中心とするＲ面であることにより、シート状止水板と支柱の凹部の内面とが密着し、シート状止水板自体がパッキンとして機能し、さらに止水効果を高めることができる。
【図面の簡単な説明】
【００１７】
【図１】本発明の実施の形態における止水装置の斜視図である。
【図２】図１のＩＩ部拡大図である。
【図３】図１の止水装置の正面図である。
【図４】図３のＩＶ−ＩＶ線断面図である。
【図５】図４のＶ部拡大図である。
【図６】本発明の止水装置の別の実施形態を示す図４のＶ部に相当する拡大図である。
【図７】図６のシート状止水板に水圧が係った状態を示す拡大図である。
【発明を実施するための形態】
【００１８】
図１は本発明の実施の形態における止水装置の斜視図、図２は図１のＩＩ部拡大図、図３は図１の止水装置の正面図、図４は図３のＩＶ−ＩＶ線断面図、図５は図４のＶ部拡大図である。
【００１９】
図１に示すように、本発明の実施の形態における止水装置１は、ビル等の出入口に立設される一対の支柱２と、この一対の支柱２の間に設けられるシート状止水板３とから構成される。図１において、右側がビル等の出入口の外側、すなわち水害時に水が迫ってくる側であり、左側がビル等の出入口の内側、すなわち水害時に水の浸水を防止する側である。
【００２０】
シート状止水板３は、柔軟性を有するターポリンシートやＰＶＣ（ポリ塩化ビニル）シートなどのシート３０により形成される。また、シート３０は、単層構造や多層構造のものを使用することも可能である。シート状止水板３の支柱２に支持される両端部には、図５に示すように芯材３１が内包される。芯材３１は、例えば直径１ｍｍ〜２ｍｍ〜４ｍｍ〜１０ｍｍ〜２０ｍｍ〜３０ｍｍ〜４０ｍｍの軟性の紐状素材（例えば、ナイロンロープや直径２ｍｍ程度の金属製ワイヤーなど）により構成される。芯材３１は、シート３０の端部でその全周を包み込み、シート３０同士を接着することによりシート状止水板３の端部に固定される。
【００２１】
支柱２はシート状止水板３の両端部を支持するものである。支柱２は図２に示すように、シート状止水板３に水圧が掛かった際にシート状止水板３が面接触するＲ面２０を有する。Ｒ面２０は、シート状止水板３に対してビル等の出入口の内側に設けられる。支柱２のＲ面２０の半径はシート状止水板３（シート３０）の厚さの２倍以上とする。
【００２２】
また、支柱２は、シート状止水板３が通る溝部２１と、シート状止水板３の端部を係止する凹部２２とを有する。溝部２１の幅Ｗ１は、シート３０の厚さより広く、かつ、少なくともシート状止水板３の端部外径よりも狭く、好ましくは、芯材３１の直径よりも狭く形成されている。凹部２２の幅Ｗ２はシート状止水板３の端部外径よりも広く形成されている。Ｒ面２０は、支柱２の溝部２１の端部（縁部分）に少なくとも１つ形成されている。
【００２３】
支柱２は凹部２２を中心として少なくとも２分割されたものである。図示例では、支柱２は、溝部２１の位置に合わせて第１支柱部材２Ａと第２支柱部材２Ｂとに２分割されている。また、両方の支柱２の上には、シート状止水板３の巻き取り部４が設けられている。巻き取り部４は、直径５０ｍｍ〜２００ｍｍ〜４００ｍｍの円筒形状である。
【００２４】
上記構成の止水装置１では、使用の際、支柱２の上部の巻き取り部４からシート状止水板３を引き出し、シート状止水板３の両端部を支柱２の凹部２２内に入れて、シート状止水板３を下端まで降ろして固定する。この状態においてシート状止水板３に水圧が掛かると、シート状止水板３はビル等の出入口の内側に撓み、図５に２点鎖線で示すようにシート状止水板３が支柱２のＲ面２０に面接触する。これにより、シート状止水板３と支柱２とが密着し、シート状止水板３自体がパッキンとして機能し、止水することができる。
【００２５】
このように、本実施形態における止水装置１では、柔軟性を有するシート状止水板３により止水することができ、従来の止水板のように重量を重くする必要がなく、軽くて操作しやすく搬送もしやすいため設置が簡単であり、かつシート状止水板３自体がパッキンとして機能することで高い止水性能を実現している。また、シート状止水板３に水圧が掛かった際にＲ面２０に面接触するため、シート状止水板３の局所に水圧が集中しなくなり、水圧による破損を防止することができる。さらに、止水時に水圧を支柱２のＲ面２０方向へ逃がすことができるため、支柱２のサイズを小さくすることができる。
【００２６】
また、シート状止水板３の端部は、芯材３１を内包し、支柱２は、芯材３１を内包するシート状止水板３の端部を係止する凹部２２を有する構成であるため、芯材３１を内包するシート状止水板３の端部に膨らみができ、この端部を支柱２の凹部２２に嵌め込むだけで抜けないように係止することができ、スムーズに昇降することができる。また、簡単な構造で製造が容易であり、かつ簡単に設置することが可能となる。
【００２７】
また、支柱２は、凹部２２を中心として少なくとも２分割されたものであることにより、支柱２の凹部２２の加工が容易であり、また凹部２２の加工後に組み立てることが可能であり、加工しやすく、低コスト化を実現できる。
【００２８】
次に、本発明の止水装置の別の実施形態について説明する。図６は本発明の止水装置の別の実施形態を示す図４のＶ部に相当する拡大図、図７は図６のシート状止水板に水圧が掛かった状態を示す拡大図である。
【００２９】
図６に示す例では、シート状止水板３に水圧が掛かった際にシート状止水板３の端部が接触する支柱２の凹部２２の内面を、凹部２２側を中心とするＲ面２３としている。Ｒ面２３はシート状止水板３の芯材３１の半径よりも大きくすることが望ましい。
【００３０】
これにより、図７に示すように、シート状止水板３に水圧が掛かった際に支柱２の凹部２２の内面のＲ面２３に沿ってシート状止水板３の端部が面接触することで、シート状止水板３と支柱２の凹部２２の内面とが密着し、シート状止水板３自体がパッキンとして機能し、さらに止水効果を高めることができる。
【産業上の利用可能性】
【００３１】
本発明は、ビルなどの建物、構造物、地下鉄、地下通路、地下駐車場、地下街や地下駅舎などの出入口などに設置され、高潮や集中豪雨などの水害時における浸水を防止するための止水装置および止水方法として有用である。
【符号の説明】
【００３２】
１  止水装置
２  支柱
２Ａ  第１支柱部材
２Ｂ  第２支柱部材
３  シート状止水板
４  巻き取り部
２０，２３  Ｒ面
２１  溝部
２２  凹部
３０  シート
３１  芯材
【図１】
2020169484.tif 000003
【図２】
2020169484.tif 000004
【図３】
2020169484.tif 000005
【図４】
2020169484.tif 000006
【図５】
2020169484.tif 000007
【図６】
2020169484.tif 000008
【図７】
2020169484.tif 000009